(57)【要約】【目的】複数の記録媒体を有するデジタル情報端末において限られた容量、個数の記録媒体を有効的に活用し、記録媒体の管理を簡易的に行うことができるファイル管理方式を提供すること。【構成】画像データ及び音声データを保存できる着脱可能な複数の記録媒体を有するデジタル情報端末において、ユーザによって選択された１つ又は複数の削除要求ファイルを全て削除するステップと優先順位の高い記録媒体に対して優先順位の低い記録媒体から画像データ又は音声データを複写するステップと、複写元のデータを自動的に削除するステップを一括して行えるよう構成する。【選択図】      図１
2004241965.tif 000002
【特許請求の範囲】
【請求項１】
画像データ及び音声データを保存できる着脱可能な複数の記録媒体を有するデジタル情報端末において、ユーザによって選択された１つ又は複数の削除要求ファイルを全て削除するステップと優先順位の高い記録媒体に対して優先順位の低い記録媒体から画像データ又は音声データを複写するステップと、複写元のデータを自動的に削除するステップを一括して行えることを特徴とするファイル管理方式。
【請求項２】
複写元のファイル名が複写先の記録媒体に同一名で存在する場合にファイル名を自動的に変更して複写することを特徴とする請求項１記載のファイル管理方式。
【請求項３】
請求項１のファイル管理方式を用い、ユーザによって選択された１つ又は複数の削除要求ファイルを削除中、若しくは優先順位の低い記録媒体から優先順位の高い媒体へ画像データ又は音楽データを複写中に別の緊急度の高い画像データ又は音声データの生成要求及び再生要求が入った場合、該削除、該複写作業の中断ステータスを記憶した上で前記作業を一時中断し、前記生成要求及び再生要求を優先させ実行し、これが終了すると即座に中断ステータスを解析して該削除、該複写作業を再開することを特徴とするデジタル情報端末。
【請求項４】
請求項３で該削除、該複写作業を中断後、新たに生成された画像又は音声ファイルは自動的に優先順位の低い記録媒体に保存されることを特徴とするファイル管理方式。
【発明の詳細な説明】
【０００１】
【発明の属する技術分野】
本発明は、ファイル管理方式と画像データ又は音声データ等を保存できる着脱可能な記録媒体を複数有するデジタル情報端末に関する。
【０００２】
【従来の技術】
従来のデジタルカメラ等のデジタル情報端末は殆どの場合メモリカード等の着脱可能な記録媒体を有している。更に将来的にはメモリカードの小型化に伴って１つの端末に２スロット以上のメモリカードスロットを有することも増えると考えられる。そこで問題となるのが複数の記録媒体にデータファイルが分散されてしまい管理が面倒になってしまうことである。
【０００３】
デジタルカメラの場合、メモリカードへ画像データを書き込んだ後、撮影の合間を見て不必要なファイルを検索、選択してまとめて削除するといったことを頻繁に行う。例えば、１００枚の画像を保存できるそれぞれのカードに１００枚ずつの画像を保存しているものとして、スロット１のカードの画像を３０枚削除してスロット２のカードの画像を５０枚削除したい場合、全画像を削除後スロット１には７０枚分の空き、スロット２には５０枚分の空きができる。ただ、メモリカードのファイル管理上できれば後々まで残すべき画像群はまとまって１枚のカードに収まっていた方が便利である。
【０００４】
本来、本格的なファイル管理はＰＣ等にアップロードしたり、ＵＳＢ接続されたＣＤ−Ｒに保存したりすることで行うのが最も簡単である。しかし、デジタルカメラ等の携帯端末機器は外出先での使用が殆どであり、そのたびにノートＰＣやＣＤ−Ｒを持ち歩くとことは不便である。
【０００５】
【発明が解決しようとする課題】
従来例のようにカード毎に容量が残ってしまうとメモリカードの管理上不便であり、できるだけ残すべき画像が入ったカードは１枚にまとめて保管し、別の新しい空のカードをスロットに挿入して撮影に備えた方が効率的であると考えられる。
【０００６】
そこで、本発明は、複数の記録媒体を有するデジタル情報端末において限られた容量、個数の記録媒体を有効的に活用し、記録媒体の管理を簡易的に行うことができるファイル管理方式及びデジタル情報端末を提供することにある。
【０００７】
【課題を解決するための手段】
上記目的を達成するため、本発明は、画像データ及び音声データを保存できる着脱可能な複数の記録媒体を有するデジタル情報端末において、ユーザによって選択された１つ又は複数の削除要求ファイルを全て削除するステップと優先順位の高い記録媒体に対して優先順位の低い記録媒体から画像データ又は音声データを複写するステップと、複写元のデータを自動的に削除するステップを一括して行えることを特徴とするファイル管理方式を採用する。ここで述べている優先順位が高いとは、残すべき画像、音声データがまとめて保存されている、又は保存されようとしているという意味である。
【０００８】
従って、本発明によれば、複数の記録媒体を有するデジタル情報端末において限られた容量、個数の記録媒体を有効的に活用し、該記録媒体の管理を簡易的に行うことができるようになる。
【０００９】
【発明の実施の形態】
以下に本発明の実施の形態を添付図面に基づいて説明する。
【００１０】
図１はデジタルカメラ１−１と２スロットのメモリカード１−１０、１−１３で構成されるデジタルカメラシステムの全体構成図である。
【００１１】
図１において、本実施の形態のデジタルカメラシステムは、デジタルカメラ内部にそれぞれの２スロットのメモリカードに対するメモリカードインターフェース１−８，１−１１を有し外部バス１−９，１−１２で接続されている。デジタルカメラ内部は、レンズ１−２で集光された被写体からの像を検出して電気信号に変換するＣＣＤ１−３とこの電気信号をデジタル信号に変換するＡ／Ｄ変換器１−４、又、デジタル信号を画像データに変換するデジタル画像処理回路１−５、更に画像メモリ１−６、メモリカードコントローラ１−８，１−１１を含むＣＰＵ１−７から構成される。
【００１２】
ユーザが撮影した画像は一旦画像メモリ１−６に蓄積された後、メモリカードコントローラを介してユーザの指定するスロットに挿されたメモリカードに保存される。メモリカードに保存できる画像数は限られているため、ユーザは各スロットのカードの残り容量がどれだけであるかをＬＣＤに表示された残量計を参照して書き込むスロットを決定する。
【００１３】
ユーザは、撮影が一段落すると不要なファイルを削除して、メモリカード内の画像ファイルを整理するためにファイル編集画面を開く。
【００１４】
図２にファイル編集画面を示す。
【００１５】
ファイル編集画面のプルダウンメニューで「編集削除」を選択すると画像のサムネイルが表示される。又、画面上部のスロット選択ボタンでどのスロットに挿入された画像群かを選択することができる。
【００１６】
図３にこの「編集削除」をした後の各メモリカード内のファイル構成を示す。
【００１７】
スロットＡのメモリカードにはＡからＰまでの１６枚の画像が保存されており、スロットＢのメモリカードにはＱからｄまでの１４枚の画像が保存されている。「編集削除」で削除したい画像ファイルを指定（Ｂ，Ｇ，Ｊ，…，ｂ）すると、最終的にスロットＡのカードにはＡからＸまでの画像ファイルが生成され、スロットＢのカードにはＺからｄまでの画像４枚のみが格納されることになる。これでスロットＡのメモリカードは容量全てに残したい画像ファイルが収められたことになり、別の携帯している新しいカードをこのスロットに挿入して新たに撮影を開始できる。
【００１８】
図４に「編集削除」  の場合のフローチャートを示す。
【００１９】
先ず、ユーザによってファイル編集画面が開かれる（ｓ１）。このとき、ユーザはファイル編集画面でファイルを削除するとき「通常削除」又は「編集削除」を選択する（ｓ２）。「編集削除」が選択されると撮影された全画像のサムネイルをインデックス表示する（ｓ３）。このインデックスはスロット毎に表示されスロット切り替えボタンで任意に切り替えることが可能である。この画面でユーザは削除したいファイルを指定することができる。
【００２０】
複数のファイルを指定して決定ボタンを押すことで指定ファイルが全て削除される（ｓ５）。全てのファイルが削除された後、各スロットの残量が自動的にチェックされ（ｓ６）、優先順位の低いスロットから優先順位の高いスロットへ複写できるファイル数が計算される。この複写可能ファイル数に応じてファイル複写が行われるが、この際にファイル名のチェックが行われる（ｓ７）。スロット間で同名のファイルが存在した場合、コピー元のファイル名を変更し（ｓ８）、コピーする（ｓ９）。複写可能なファイル数全てをコピーし終わった後、コピー元のデータを全て削除する（ｓ１１）。削除後のファイル構成を再びインデックス表示して（ｓ１２）、ファイル編集画面のトップに戻る（ｓ１３）。
【００２１】
又、メモリカードの１枚当りの容量が大きくなることで、編集削除の際の削除、複写に要する時間が大きくなってしまうことも考えられる。もし緊急の撮影が必要になった場合に実行中のファイル削除、複写作業を中断し、どこまで削除、複写が完了したかを記憶した上で撮影準備完了状態へ遷移させる。カメラはこのときユーザからのシャッター待ち受け状態である。シャッターが押され撮影が行われると、強制的に撮影された画像データは画像メモリから優先順位の低いスロットのメモリカードへ保存される。その後、退避していた削除、複写中断ステータスをロードして前記作業を再開する。
【００２２】
【発明の効果】
以上の説明で明らかなように、本発明によれば、複数の記録媒体を有するデジタル情報端末において限られた容量、個数の記録媒体を有効的に活用し、該記録媒体の管理を簡易的に行うことができるようになる。
【図面の簡単な説明】
【図１】デジタルカメラ−周辺機器システム全体図である。
【図２】「編集削除」選択画面例を示す図である。
【図３】「編集削除」画像ファイル管理例を示す図である。
【図４】「編集削除」フローチャートである。
【符号の説明】
１−１    デジタルカメラ
１−２    レンズ
１−３    ＣＣＤ
１−４      Ａ／Ｄ変換器
１−５    デジタル画像処理回路
１−６    記憶装置
１−７    ＣＰＵ
１−８    メモリカードコントローラ
１−９    外部バス
１−１０  メモリカード
１−１１  メモリカードコントローラ
１−１２  外部バス
１−１３  メモリカード
【図１】
2004241965.tif 000003
【図２】
2004241965.tif 000004
【図３】
2004241965.tif 000005
【図４】
2004241965.tif 000006